(57)【要約】  本出願は電気化学エネルギー貯蔵装置を開示する。前記電気化学エネルギー貯蔵装置は、ケーシングを備え、ケーシングが対向する第一の側壁及び第二の側壁を含み、且つ電池セルを収容するための内部キャビティが設けられ、内部キャビティが第一の側壁及び第二の側壁の間に位置し、第一の側壁及び第二の側壁の少なくとも一方に補強層が設けられる。本出願の電気化学エネルギー貯蔵装置によれば、第一の側壁と第二の側壁の少なくとも一方に補強層が設けられ、補強層がケーシングの構造強度を高めることができ、電気化学エネルギー貯蔵装置が落下又は衝突する場合、補強層がケーシングに対する保護作用を有し、これにより、電気化学エネルギー貯蔵装置の短絡又は電解液の漏出を回避することができ、それによって電気化学エネルギー貯蔵装置の安全性及び信頼性を向上させることができる。【選択図】図１
2021518032.tif 000002
【特許請求の範囲】
【請求項１】
ケーシングを備え、前記ケーシングが対向する第一の側壁及び第二の側壁を含み、且つ電池セルを収容するための内部キャビティが設けられ、前記内部キャビティが前記第一の側壁及び第二の側壁の間に位置する電気化学エネルギー貯蔵装置であって、
前記第一の側壁及び前記第二の側壁の少なくとも一方に補強層が設けられることを特徴とする電気化学エネルギー貯蔵装置。
【請求項２】
さらに電気セルを備え、前記電池セルの電極タブが前記第一の側壁から内部キャビティの外に突出し、前記補強層が前記第二の側壁に設けられることを特徴とする請求項１に記載の電気化学エネルギー貯蔵装置。
【請求項３】
前記補強層は、前記第二の側壁の前記内部キャビティに近い面に設けられることを特徴とする請求項２に記載の電気化学エネルギー貯蔵装置。
【請求項４】
前記補強層は、前記第二の側壁の前記内部キャビティに遠い面に設けられることを特徴とする請求項２に記載の電気化学エネルギー貯蔵装置。
【請求項５】
前記補強層は、前記第一の側壁の前記内部キャビティに遠い面に設けられることを特徴とする請求項２−４項のいずれか一項に記載の電気化学エネルギー貯蔵装置。
【請求項６】
前記ケーシングは、第三の側壁を有し、前記第三の側壁が前記第二の側壁に隣接し、前記補強層が前記第三の側壁の前記内部キャビティに遠い面に設けられることを特徴とする請求項２−４項のいずれか一項に記載の電気化学エネルギー貯蔵装置。
【請求項７】
前記補強層は、高分子層であることを特徴とする請求項１に記載の電気化学エネルギー貯蔵装置。
【請求項８】
前記補強層は、ガムテープであることを特徴とする請求項１に記載の電気化学エネルギー貯蔵装置。
【請求項９】
前記電池セルの幅がＬ１であり、前記電池セルの幅方向における前記補強層の長さがＬ２であり、ここで、Ｌ２≧０．５Ｌ１であることを特徴とする請求項２に記載の電気化学エネルギー貯蔵装置。
【請求項１０】
前記電気化学エネルギー貯蔵装置は電池であることを特徴とする請求項１に記載の電気化学エネルギー貯蔵装置。
【発明の詳細な説明】
【技術分野】
【０００１】
本出願は、エネルギー貯蔵装置分野に関し、特に電気化学エネルギー貯蔵装置に関する。
【背景技術】
【０００２】
関連技術では、電気化学エネルギー貯蔵装置（例えばリチウム電池）の使用中に、電気化学エネルギー貯蔵装置が落下又は衝突する場合、電気化学エネルギー貯蔵装置のポケット（Ｐｏｃｋｅｔ：包装袋）が亀裂しやすく、電気化学エネルギー貯蔵装置の動作の安全性及び信頼性に影響を及ぼす。
【発明の概要】
【発明が解決しようとする課題】
【０００３】
本出願は、高い安全性と高い信頼性という利点を有する電気化学エネルギー貯蔵装置を提供することを１つの目的とする。
【課題を解決するための手段】
【０００４】
本出願の実施例による電気化学エネルギー貯蔵装置は、ケーシングを備え、前記ケーシングが対向する第一の側壁及び第二の側壁を含み、且つ電池セルを収容するための内部キャビティが設けられ、前記内部キャビティが前記第一の側壁及び第二の側壁の間に位置し、前記第一の側壁及び前記第二の側壁の少なくとも一方に補強層が設けられる。
【０００５】
本出願の実施例による電気化学エネルギー貯蔵装置では、第一の側壁と第二の側壁の少なくとも一方に補強層が設けられ、補強層がケーシングの構造強度を高めることができ、電気化学エネルギー貯蔵装置が落下又は衝突する場合、補強層がケーシングに対する保護作用を有し、これにより、電気化学エネルギー貯蔵装置の短絡又は電解液の漏出を回避することができ、それによって電気化学エネルギー貯蔵装置の安全性及び信頼性を向上させることができる。
【０００６】
本出願のいくつかの実施例によれば、前記電気化学エネルギー貯蔵装置はさらに電気セルを備え、前記電池セルの電極タブが前記第一の側壁から内部キャビティの外に突出し、前記補強層が前記第二の側壁に設けられる。
【０００７】
本出願のいくつかの実施例では、前記補強層は前記第二の側壁の前記内部キャビティに近い面に設けられる。
【０００８】
本出願のいくつかの実施例では、前記補強層は前記第二の側壁の前記内部キャビティに遠い面に設けられる。
【０００９】
本出願のいくつかの実施例では、前記補強層は前記第一の側壁の前記内部キャビティに遠い面に設けられる。
【００１０】
本出願のいくつかの実施例では、前記ケーシングは、第三の側壁を有し、前記第三の側壁が前記第二の側壁に隣接し、前記補強層が前記第三の側壁の前記内部キャビティに遠い面に設けられる。
【００１１】
本出願のいくつかの実施例によれば、前記補強層は高分子層である。
【００１２】
本出願のいくつかの実施例によれば、前記補強層はガムテープである。
【００１３】
本出願のいくつかの実施例では、前記電池セルの幅がＬ１であり、電池セルの幅方向における前記補強層の長さがＬ２であり、ここで、Ｌ２≧０．５Ｌ１である。
【００１４】
本出願のいくつかの実施例によれば、前記電気化学エネルギー貯蔵装置は電池である。
【図面の簡単な説明】
【００１５】
本出願の上記及び／又は追加の態様及び利点は、以下の図面と組み合わせる実施例の説明から明らかになり、理解しやすくなる。
【図１】本出願の実施例１による電気化学エネルギー貯蔵装置の構造図である。
【図２】本出願の実施例２による電気化学エネルギー貯蔵装置の構造図である。
【図３】本出願の実施例３による電気化学エネルギー貯蔵装置の構造図である。
【図４】本出願の実施例４による電気化学エネルギー貯蔵装置の構造図である。
【図５】本出願の実施例５による電気化学エネルギー貯蔵装置の構造図である。
【図６】本出願の実施例６による電気化学エネルギー貯蔵装置の構造図である。
【図７】本出願の実施例７による電気化学エネルギー貯蔵装置の構造図である。
【図８】本出願の実施例８による電気化学エネルギー貯蔵装置の構造図である。
【図９】本出願の実施例９による電気化学エネルギー貯蔵装置の構造図である。
【図１０】本出願の実施例１０による電気化学エネルギー貯蔵装置の構造図である。
【図１１】本出願の実施例１１による電気化学エネルギー貯蔵装置の構造図である。
【発明を実施するための形態】
【００１６】
以下に本出願の実施例を詳細に説明し、前記実施例の例が図面に示され、ここで本明細書を通して同じ又は類似の記号は同じ又は類似の素子又は同じ又は類似の機能を有する素子を表す。以下に図面を参照して説明される実施例は例示的なものであり、本出願を解釈することのみに用いられるが、本出願を制限するものとして理解されるべきではない。
【００１７】
以下に図面を参照しながら本出願の実施例による電気化学エネルギー貯蔵装置１００を説明する。理解すべきものとして、以下の説明は例示的な説明だけであり、本出願を具体的に制限するものではない。
【００１８】
実施例１
【００１９】
図１に示すように、電気化学エネルギー貯蔵装置１００は、ケーシング１と電池セル３を備え、ケーシング１が第一の側壁１１、第二の側壁１２と第三の側壁１３を含み、ここで、第一の側壁１１と第二の側壁１２が対向し、第三の側壁１３が第二の側壁１２に隣接し、ケーシング１に電池セル３を収容するための内部キャビティ１４が設けられ、内部キャビティ１４が第一の側壁１１及び第二の側壁１２の間に位置し、第一の側壁１１と第二の側壁１２の少なくとも一方に補強層２が設けられる。
【００２０】
補強層２はケーシング１の構造強度を高めることができ、電気化学エネルギー貯蔵装置１００が落下又は衝突する場合、補強層２がケーシング１に対する保護作用を有し、これにより、電気化学エネルギー貯蔵装置１００の短絡又は電解液の漏出を回避することができ、それによって電気化学エネルギー貯蔵装置１００の安全性及び信頼性を向上させることができる。
【００２１】
関連技術では、電気化学エネルギー貯蔵装置が落下又は衝突する場合、電気化学エネルギー貯蔵装置に受けられた外部からの衝撃力により、ケーシングの亀裂又は破損が発生しやすく、電解液が漏れ出し、同時に外部からの衝撃力により、内部の電解液とケーシング、及び電極シートとケーシングが衝突する可能性があり、ケーシングが破損し、電気化学エネルギー貯蔵装置の安全性及び信頼性に影響を与える。本出願では、第一の側壁１１と第二の側壁１２の少なくとも一方に補強層２が設けられて、ケーシング１の構造強度を高めることができ、それによって電気化学エネルギー貯蔵装置１００の安全性及び信頼性が向上する。
【００２２】
図１に示すように、補強層２は第一の側壁１１の内部キャビティ１４に近い面に設けられる。これにより、第一の側壁１１の内部キャビティ１４に近い側の構造強度を高め、電解液の衝撃に対抗する第一の側壁１１の能力を向上させることができる。
【００２３】
図１に示すように、電池セル３の電極タブ３１は第一の側壁１１から内部キャビティ１４の外に突出し、補強層２は第二の側壁１２に設けられる。補強層２が第二の側壁１２の構造強度を高めることができ、第二の側壁１２の亀裂を回避することを理解することができる。また、補強層２が第二の側壁１２に設けられることにより、補強層２を収容するための収容スペースの設計及び製造がより容易になり、加工コストを減少させることができる。好ましくは、補強層２には電極タブ３１を通すための貫通孔が設けられる。
【００２４】
説明すべきものとして、電池セル３は電極シートとセパレータを含み、電極シートが陰極シートと陽極シートを含み、セパレータは、陰極シートと陽極シートの間に位置し、捲回又は積層により作られる。具体的には、電池セル３が製造される時には、まずポリエチレン多孔質膜を基材として用い、起毛剤を用いて基材の表面を一定の温度で前処理して基材の表面の張力を増大させ、次に無電極酸化物（酸化アルミニウム、酸化ケイ素など）と有機ポリマー（ポリフッ化ビニリデン）溶液を基材の表面に均一に塗布してセパレータを作成することができる。
【００２５】
その後、陽極シート、陰極シートとセパレータを順次巻き付けてベアセルを形成し、ベアセルと電解液がケーシング１に内蔵され、電解液がベアセルを浸漬してベアセル３を形成し、最後に熱プレス等の方式により、電極シートとセパレータとの間に接着力を発生させる。
【００２６】
図１に示すように、補強層２は第二の側壁１２の内部キャビティ１４に近い面に設けられる。補強層２が第二の側壁１２の内部キャビティ１４に近い側の構造強度を高めることができ、これにより、電解液の衝撃に対抗する第二の側壁１２の能力が向上し、それによって電解液の漏出を回避することを理解することができる。
【００２７】
図１に示すように、補強層２は第二の側壁１２の内部キャビティ１４に遠い面に設けられる。補強層２が第二の側壁１２の外面の構造強度を高めることができ、外部の衝撃力に対する第二の側壁１２の能力が向上し、第二の側壁１２の亀裂が回避される。
【００２８】
図１に示すように、ケーシング１は、第三の側壁１３を有し、第三の側壁１３が第二の側壁１２に隣接し、補強層２が第三の側壁１３の内部キャビティ１４に遠い面に設けられる。補強層２がケーシング１の第三の側壁１３に対する保護作用を有し、第三の側壁１３の内部キャビティ１４に遠い面に補強層２が設けられることにより、第三の側壁１３に電解液が漏れ出すことを回避することができ、それによって電気化学エネルギー貯蔵装置１００の安全性及び信頼性をさらに向上させることができる。
【００２９】
図１に示すように、ケーシング１は第一の側壁１１、第二の側壁１２と２つの第三の側壁１３を含み、第一の側壁１１と第二の側壁１２が対向して設けられ、２つの第三の側壁１３が対向して設けられ、左側の第三の側壁１３の一端が第一の側壁１１の一端に接続され、左側の第三の側壁１３の他端が第二の側壁１２の一端に接続され、右側の第三の側壁１３の一端が第一の側壁１１の他端に接続され、右側の第三の側壁１３の他端が第二の側壁１２の他端に接続される。
【００３０】
ここで、左側の第三の側壁１３の内部キャビティ１４に遠い面と右側の第三の側壁１３の内部キャビティ１４に遠い面ともに補強層２が設けられる。
【００３１】
実施例２
本実施例が実施例１の構造とほぼ同じであり、同じ部材に同じ参照番号が付されているが、図２に示すように、異なる点は、第一の側壁１１の内部キャビティ１４に近い面、第二の側壁１２の内部キャビティ１４に近い面、左側の第三の側壁１３の内部キャビティ１４に遠い面と右側の第三の側壁１３の内部キャビティ１４に遠い面のみに補強層２が設けられることにある。
【００３２】
実施例３
【００３３】
本実施例が実施例１の構造とほぼ同じであり、同じ部材に同じ参照番号が付されているが、図３に示すように、異なる点は、第一の側壁１１の内部キャビティ１４に近い面、第二の側壁１２の内部キャビティ１４に近い面、第二の側壁１２の内部キャビティ１４に遠い面と左側の第三の側壁１３の内部キャビティ１４に遠い面のみに補強層２が設けられることにある。
【００３４】
実施例４
本実施例が実施例１の構造とほぼ同じであり、同じ部材に同じ参照番号が付されているが、図４に示すように、異なる点は、第一の側壁１１の内部キャビティ１４に近い面、第一の側壁１１の内部キャビティ１４に遠い面、第二の側壁１２の内部キャビティ１４に近い面と第二の側壁１２の内部キャビティ１４に遠い面のみに補強層２が設けられることにある。
【００３５】
ここで、第一の側壁１１の内部キャビティ１４に遠い面に補強層２が設けられることにより、第一の側壁１１の外面の構造強度を高めることができ、外部の衝撃力に対する第一の側壁１１の能力が向上する。
【００３６】
実施例５
本実施例が実施例１の構造とほぼ同じであり、同じ部材に同じ参照番号が付されているが、図５に示すように、異なる点は、第一の側壁１１の内部キャビティ１４に近い面、第二の側壁１２の内部キャビティ１４に近い面と第二の側壁１２の内部キャビティ１４に遠い面のみに補強層２が設けられることにある。
【００３７】
実施例６
本実施例が実施例１の構造とほぼ同じであり、同じ部材に同じ参照番号が付されているが、図６に示すように、異なる点は、第一の側壁１１の内部キャビティ１４に近い面と第二の側壁１２の内部キャビティ１４に近い面のみに補強層２が設けられることにある。
【００３８】
実施例７
本実施例が実施例１の構造とほぼ同じであり、同じ部材に同じ参照番号が付されているが、図７に示すように、異なる点は、第二の側壁１２の内部キャビティ１４に遠い面のみに補強層２が設けられることにある。
【００３９】
実施例８
本実施例が実施例１の構造とほぼ同じであり、同じ部材に同じ参照番号が付されているが、図８に示すように、異なる点は、第一の側壁１１の内部キャビティ１４に遠い面のみに補強層２が設けられることにある。
【００４０】
実施例９
本実施例が実施例１の構造とほぼ同じであり、同じ部材に同じ参照番号が付されているが、図９に示すように、異なる点は、左側の第三の側壁１３の内部キャビティ１４に遠い面と右側の再三の側壁１３の内部キャビティ１４に遠い面のみに補強層２が設けられることにある。
【００４１】
実施例１０
本実施例が実施例１の構造とほぼ同じであり、同じ部材に同じ参照番号が付されているが、図１０に示すように、異なる点は、第二の側壁１２の内部キャビティ１４に近い面のみに補強層２が設けられることにある。
【００４２】
実施例１１
本実施例が実施例１の構造とほぼ同じであり、同じ部材に同じ参照番号が付されているが、図１１に示すように、異なる点は、第一の側壁１１の内部キャビティ１４に近い面のみに補強層２が設けられることにある。
【００４３】
理解すべきものとして、本明細書の説明では、用語「一つの実施例」、「いくつかの実施例」、「例示的な実施例」、「例」、「具体的な例」、又は「いくつかの例」等を参照した説明は、該実施例又は例と組み合わせて説明される具体的な特徴、構造、材料又は特性が本出願の少なくとも一つの実施例又は例に含まれることを意味する。本明細書では、上記用語の例示的な表現は、必ずしも同じ実施例又は例を意味するわけではない。しかも、説明された具体的な特徴、構造、材料又は特性が任意の１つ又は複数の実施例又は例において適切な方式で組み合わせられてもよい。
【００４４】
また、上記実施例は例示的な説明だけであるが、本出願の実施例の電気化学エネルギー貯蔵装置１００はさらに以下の特徴を備えることができることができる。
本出願のいくつかの実施例によれば、補強層２は高分子層である。高分子層の製造プロセスが比較的成熟し、製造コストが低く、高分子層の化学的性質も安定し、酸とアルカリに腐食されにくく、且つ耐用年数が長い。
【００４５】
選択可能に、高分子層は、エチレン−酢酸共重合体（ＥＶＡ）ホットメルト接着剤、ポリアミド（ＰＡ）ホットメルト接着剤、ポリウレタン（ＰＵ）ホットメルト接着剤、ポリウレタン、エポキシ樹脂、ポリアクリレート、ポリ尿素又はポリカーボネートであってもよい。エチレン−酢酸共重合体（ＥＶＡ）ホットメルト接着剤、ポリアミド（ＰＡ）ホットメルト接着剤、ポリウレタン（ＰＵ）ホットメルト接着剤、ポリウレタン、エポキシ樹脂、ポリアクリレート、ポリ尿素、ポリカーボネートは、物理的に熱を受けたか化学的に重合した後に強い接着性を有する。具体的には、高分子層は上記材料のうちの一種であってもよいし、その中のいくつかの材料を混合したものであってもよい。
【００４６】
ここで、物理的加熱方法では加熱温度が０〜１６０°Ｃに制御されてもよく、加熱温度が８０〜１００°Ｃであることが好ましく、応答時間が１−３０ｍｉｎに制御されてもよく、応答時間が１−４ｍｉｎであることが好ましい。
【００４７】
関連技術では、電気化学エネルギー貯蔵装置が落下又は衝突する場合、電気化学エネルギー貯蔵装置の内部の電極シート同士が相対的にスライドしやすく、内部短絡を引き起こす。また、電気化学エネルギー貯蔵装置の電解液もセパレータに衝突し、セパレータの収縮による内部の短絡が発生しやすい。
【００４８】
図１に示すように、本出願の一つの例では、第一の側壁１１の内部キャビティ１４に近い面に高分子層が形成されるように、第一の側壁１１の内部キャビティ１４に近い面に接着剤を塗布し、上記高分子層の接着力により、電極シート、セパレータとケーシング１の間の一体性を向上させ、電極シートの相互なスライドによる内部短絡とセパレータの収縮による内部短絡を防止することができ、同時にケーシング１の亀裂を回避することができる。
【００４９】
図７に示すように、本出願の別の例では、第二の側壁１２の内部キャビティ１４に近い面に高分子層が形成されるように、第二の側壁１２の内部キャビティ１４に近い面に接着剤を塗布し、上記高分子層の接着力により、セパレータとケーシング１の間の一体性を向上させ、セパレータの収縮による内部短絡を防止することができ、同時にケーシング１の亀裂を回避することができる。
【００５０】
関連技術では、電気化学エネルギー貯蔵装置はさらに作動室を備え、ケーシングが作動室内に位置し、電気化学エネルギー貯蔵装置が落下又は衝突する場合、ケーシングと作動室が衝突しやすく、ケーシングの亀裂及び破損を引き起こす。
【００５１】
図３に示すように、本出願の一つの例では、第三の側壁１３の内部キャビティ１４に遠い面に高分子層が形成されるように、第三の側壁１３の内部キャビティ１４に遠い面に接着剤を塗布し、上記高分子層の接着力により、ケーシング１と作動室の一体性を向上させることができ、ケーシング１と作動室の衝突に起因するケーシング１の亀裂の問題を防止することができる。
【００５２】
図８に示すように、本出願の一つの例では、第一の側壁１１の内部キャビティ１４に遠い面に高分子層が形成されるように、第一の側壁１１の内部キャビティ１４に遠い面に接着剤を塗布し、上記高分子層の接着力により、ケーシング１と作動室の一体性を向上させることができ、ケーシング１と作動室の衝突に起因するケーシング１の亀裂の問題を防止することができる。
【００５３】
図１０に示すように、本出願のもう一つの例では、第二の側壁１２の内部キャビティ１４に遠い面に高分子層が形成されるように、第二の側壁１２の内部キャビティ１４に遠い面に接着剤を塗布し、上記高分子層の接着力により、ケーシング１と作動室の一体性を向上させることができ、ケーシング１と作動室の衝突に起因するケーシング１の亀裂の問題を防止することができる。
【００５４】
本出願のいくつかの実施例によれば、補強層２はガムテープ（adhesive tape）である。ガムテープは構造が簡単であり、組み立てやすく、コストが低いという利点を有する。選択可能に、ガムテープは、片面ガムテープ又は両面ガムテープであってもよい。
【００５５】
本出願のいくつかの実施例では、電池セル３の幅がＬ１であり（図６と図９を参照）、電池セル３の幅方向における補強層２の長さがでありＬ２（図６と図９を参照）、ここで、Ｌ２≧０．５Ｌ１である。これにより、ケーシング１に対する補強層２の保護効果を高め、さらに電気化学エネルギー貯蔵装置１００の安全性及び安全性を向上させることができる。
【００５６】
例えば、電池セル３の幅方向における補強層２の長さＬ２が０．６Ｌ１、０．７Ｌ１、０．８Ｌ１、０．９Ｌ１又はＬ１であってもよく、具体的には、電池セル３の幅方向における補強層２の長さＬ２が電池セル３の型番号、サイズと応用環境に応じて設計及び製造されてもよい。
【００５７】
本出願のいくつかの実施例によれば、電気化学エネルギー貯蔵装置１００は電池である。電池が携帯しやすく、輸送しやすいという利点を有し、同時に電池の応用環境も比較的多様であり、電池のニーズも比較的広いことを理解することができる。選択可能に、電池は一次電池又は二次電池であってもよい。当然、本出願はこれに限定されなく、電気化学エネルギー貯蔵装置もコンデンサであってもよい。
【００５８】
説明すべきものとして、電池セル３はケーシング１に組み立てられた後、充電成形、負圧ポンピング及び容量テストなどの工程を経て製造を完了する必要があり、その後、電池セル３が組み立てられたケーシング１を作動室に入れて電気化学エネルギー貯蔵装置１００の組み立てを完了することができる。
【００５９】
上記実施例の一部における電気化学的エネルギー貯蔵装置１００と関連技術における補強層２が設けられないエネルギー貯蔵装置（比較例１）についてテスト実験を行う。実現条件は次の通りである。上記実施例における電気化学エネルギー貯蔵装置１００と関連技術における補強層２が設けられないエネルギー貯蔵装置をそれぞれドラムに入れてテストを行い、ドラムの回転速度が３−４回転／ｍｉｎであり、転動高さが１ｍであり、実験するたびにドラムが合計２５０回転を回転し、第７５０回転目、第１５０回転目と第２５０回転目の時に取り出して電圧と内部抵抗を測定し、落下が終了した後に電池セル３を取り外して常温で７２ｈ静置し、２４ｈごとに電圧を測定して記録し、７２ｈの後に初期電圧を基準にし、電気化学エネルギー貯蔵装置１００の電圧降下が３０ｍｖの合格よりも小さく、同時に亀裂の発生割合を統計する。
【００６０】
具体的な実験結果は表１に示される。
【表１】
2021518032.tif 000003
【００６１】
実験研究により、ケーシング１の第一の側壁１１の内部キャビティ１４に近い側に補強層２が設けられることにより、電気化学エネルギー貯蔵装置１００の電圧降下の通過率を大幅に向上させることができ、第一の側壁１１、第二の側壁１２又は第三の側壁１３の内部キャビティ１４に遠い側に補強層２が設けられることにより、電気化学エネルギー貯蔵装置１００における亀裂の発生割合を大幅に低減することができることが分かる。
【００６２】
以上に開示されたものは本出願の好適な実施例だけであり、当然、これによって本出願を限定することができなく、従って本出願に基づいて行われた同等の変更は依然として本出願が包含する範囲に属する。
【符号の説明】
【００６３】
電気化学エネルギー貯蔵装置  １００
ケーシング  １
第一の側壁  １１
第二の側壁  １２
第三の側壁  １３
内部キャビティ  １４
補強層  ２
電池セル  ３
電極タブ  ３１
【図１】
2021518032.tif 000004
【図２】
2021518032.tif 000005
【図３】
2021518032.tif 000006
【図４】
2021518032.tif 000007
【図５】
2021518032.tif 000008
【図６】
2021518032.tif 000009
【図７】
2021518032.tif 000010
【図８】
2021518032.tif 000011
【図９】
2021518032.tif 000012
【図１０】
2021518032.tif 000013
【図１１】
2021518032.tif 000014
【国際調査報告】
2021518032.tif 000015
2021518032.tif 000016
2021518032.tif 000017
2021518032.tif 000018
2021518032.tif 000019